(57)【特許請求の範囲】
【請求項１】
隅棟部より配設される略長方形形状の瓦本体に、切断すると切断部が屋根勾配に対応した隅棟部の稜線勾配と一致する切断合わせマークを、瓦本体の軒側縁部略中央に設けた基準マークと、基準マークと結ばれることで稜線勾配が示される切断マークとで形成し、該切断マークを瓦本体の棟側縁部に左右対称に設け、上記切断合わせマークを屋根勾配別に複数設けたことを特徴とする屋根瓦。
【請求項２】
請求項１記載の屋根瓦を切断合わせマークに合わせて切断することで隅棟瓦を形成し、隅棟瓦の切断部を隅棟部の稜線勾配に揃えた状態で屋根両側に対向して配設し、隅棟瓦を基準にして屋根瓦を横方向に連接し、瓦葺全体の横寸法を調整するスペースを任意の瓦間に設け、該スペースに屋根瓦端部を切断して形成した調整用瓦を嵌め込むと共に、調整用瓦の切断した側の継ぎ目の下側に防水用の当て板を配したことを特徴とする屋根瓦施工構造。
【請求項３】
当て板の棟側縁部に、当て板の平面部に対して直立し屋根瓦の厚み以下となる係止突起を設けたことを特徴とする請求項２記載の屋根瓦施工構造。
【請求項４】
屋根瓦の両端部に相決りを施し、この相決りを嵌合させて屋根瓦を横方向に連接したことを特徴とする請求項２又は３記載の屋根瓦施工構造。
【発明の詳細な説明】
【０００１】
【発明の属する技術分野】
本発明は、建築物の屋根に配設する屋根瓦と、該屋根瓦が配設された屋根瓦施工構造に関するものである。
【０００２】
【従来の技術】
従来から、図８に示すように屋根瓦（１０）には隣接する屋根瓦（１０ａ）を所定の位置に配設できるように位置合わせマーク（１１）が設けられていた。これは上縁中央、両側縁、屋根瓦の中央部などに設けられていた。
【０００３】
したがって、この位置合わせマーク（１１）を揃えて連接してゆけば、瓦間にずれが生じることなく屋根瓦（１０）を葺いてゆくことができた。
【０００４】
又、従来から図８に示すように屋根瓦施工構造は、屋根中程に基準となる屋根瓦（１０）を配設し、これを基準として他の屋根瓦（１０ａ）を連接し、隅棟部に至って屋根瓦（１０）を稜線に沿って切断し、切断した屋根瓦（１０ｂ）を隅棟部に配設してなるものがあった。
【０００５】
これにより、一種類の屋根瓦（１０）で瓦を葺くことができると同時に、大きさ、形状、勾配等が異なる様々な屋根に対し切断した屋根瓦（１０ｂ）でその違いを吸収することができた。
【０００６】
【発明が解決しようとする課題】
しかしながら、上記従来の技術の屋根瓦においては、上下左右の位置合わせが必要となり手間がかかるという問題を抱えていた。即ち、上縁中央の位置合わせマーク（１１ａ）で横方向を合わせ、両側縁の位置合わせマーク（１１ｂ）で上下方向を合わせる必要があった。
【０００７】
又、上記従来の技術の屋根瓦施工構造においては、隅棟部に配設される屋根瓦（１０）の切断に手間がかかり効率が良くないという問題を抱えていた。即ち、切断から配設までの一連作業として、屋根瓦（１０）の位置合わせ、マーキング、切断工具まで移動、切断、配設位置まで戻る、位置合わせ、釘打ちがあり、７段階もの工数がかかっていた。加えて、この一連作業を瓦葺の各段毎に且つ左右の隅棟部にても行う必要がありたいへんな作業となっていた。
【０００８】
本発明は、上記事由に鑑みてなしたもので、その目的とするところは、効率良く瓦を葺いてゆくことのできる屋根瓦及び屋根瓦施工構造を提供することにある。
【０００９】
【課題を解決するための手段】
上記目的を達成するために、本発明の屋根瓦にあっては請求項１に記載したように、隅棟部より配設される略長方形形状の瓦本体に、切断すると切断部が屋根勾配に対応した隅棟部の稜線勾配と一致する切断合わせマークを、屋根勾配別に複数設けている。
【００１０】
これにより、効率良く瓦を葺いてゆくことができる。すなわち、切断合わせマークに合わせて切断した屋根瓦は、その切断部を隅棟部の稜線勾配に揃えることで簡単に位置決めをすることができる。更に、切断した屋根瓦を基準としてこれに連接して他の屋根瓦を横方向に配設すれば、上下方向のみを揃えるだけで狂いを生じさせることなく配設できるので、従来の技術で紹介した屋根瓦よりも位置合わせが簡単になり施工性が向上する。
【００１１】
又、本発明の屋根瓦にあっては請求項１に記載したように、切断合わせマークを、瓦本体の軒側縁部略中央に設けた基準マークと、基準マークと結ばれることで稜線勾配が示される切断マークとで形成し、該切断マークを瓦本体の棟側縁部に左右対称に設けても良い。
【００１２】
この場合、１枚の屋根瓦で屋根両側の隅棟部に対応できる。即ち、切断マークを左右対称で対になるように設けているので、隅棟部に配設可能な部材を基準マークを境に右側と左側とで各１枚づつ作ることができる。このものは左右対称なものなので、右側隅棟部対応品と左側隅棟部対応品とが各１枚づつ出来あがることになる。
【００１３】
又、上記目的を達成するために、本発明の屋根瓦施工構造にあっては請求項２に記載したように、請求項１記載の屋根瓦を切断合わせマークに合わせて切断することで隅棟瓦を形成し、隅棟瓦の切断部を隅棟部の稜線勾配に揃えた状態で屋根両側に対向して配設し、隅棟瓦を基準にして屋根瓦を横方向に連接し、瓦葺全体の横寸法を調整するスペースを任意の瓦間に設け、該スペースに屋根瓦端部を切断して形成した調整用瓦を嵌め込むと共に、調整用瓦の切断した側の継ぎ目の下側に防水用の当て板を配している。
【００１４】
これにより、継ぎ目部分の防水性能を損なうことなく調整用瓦を嵌め込むことができる。本発明の屋根瓦施工構造にあっては、隅棟瓦を屋根両側に対向して配設し、隅棟瓦を基準として屋根瓦を連接してゆく為に、屋根の大きさに対応した調整代を任意の瓦間に設けたスペースに求めざるをえなくなる。そして、其スペースに端部を切断した調整用瓦を嵌めこむことで瓦葺を完成させる構造をとる。このような構造では調整用瓦の切断部の仕上がりが瓦施工者の技量によりばらついてしまい、出来具合によっては防水性能の低下を招く恐れがある。本発明は、そのバラツキから生じる防水性能の低下を当て板を設けることで補うようにしている。
【００１５】
又、本発明の屋根瓦施工構造にあっては請求項３に記載したように、当て板の棟側縁部に、当て板の平面部に対して直立し屋根瓦の厚み以下となる係止突起を設けても良い。
【００１６】
この場合、当て板の位置決めが簡単になるとともに安定した固定とすることができる。例えば係止突起を調整用瓦の上端縁に係止させることで仮固定することができる。又、係止突起は、調整用瓦に限らず屋根瓦もしくは隅棟瓦の上端縁に係止させても良い。加えて、係止突起は屋根瓦の厚みよりも小さいので、屋根瓦を軒側から棟側にかけて重ねて配設してゆく際においても邪魔になることがない。
【００１７】
又、本発明の屋根瓦施工構造にあっては請求項４に記載したように、屋根瓦の両端部に相決りを施し、この相決りを嵌合させて屋根瓦を横方向に連接しても良い。
【００１８】
この場合、瓦間の継ぎ目部分の防水性能が向上する。単純な突き付け施工よりも相決りを施している方が、屋根瓦下側に至る迄の浸水経路を複雑にすることができ防水性能が向上する。即ち、突き付け施工の場合、継ぎ目に入った水滴は特に抵抗を受けることなく屋根瓦下側に至ることになる。これに対して、本発明においては屋根瓦端部に相決りを設けているので、継ぎ目が底に向ってクランク状となり、継ぎ目に入った水滴を途中の段差部に留めることができる。
【００１９】
【発明の実施の形態】
［第１の実施の形態］図１は本発明の請求項１に対応する第１の実施の形態の屋根瓦（Ａ）を示す説明図である。又、図２は該屋根瓦（Ａ）を用いてなる本発明の請求項２乃至４に対応する第１の実施の形態を示す屋根瓦施工構造（Ａ’）の説明図である。
【００２０】
この実施の形態の屋根瓦（Ａ）は、請求項１に記載したように、隅棟部より配設される略長方形形状の瓦本体（１）に、切断すると切断部（２）が屋根勾配に対応した隅棟部の稜線勾配（３）と一致する切断合わせマーク（４）を、屋根勾配別に複数設けている。
【００２１】
又、該実施の形態の屋根瓦（Ａ）は、請求項１に記載したように、切断合わせマーク（４）を、瓦本体（１）の軒側縁部略中央に設けた基準マーク（４ａ）と、基準マーク（４ａ）と結ばれることで稜線勾配（３）が示される切断マーク（４ｂ）とで形成し、該切断マーク（４ｂ）を瓦本体（１）の棟側縁部に左右対称に設けてもいる。
【００２２】
この実施の形態の屋根瓦施工構造（Ａ’）は請求項２に記載したように、請求項１記載の屋根瓦（Ａ）を切断合わせマーク（４）に合わせて切断することで隅棟瓦（５）を形成し、隅棟瓦（５）の切断部（２）を隅棟部の稜線勾配（３）に揃えた状態で屋根両側に対向して配設し、隅棟瓦（５）を基準にして屋根瓦（Ａ）を横方向に連接し、瓦葺全体の横寸法を調整するスペース（６）を任意の瓦間に設け、該スペース（６）に屋根瓦（Ａ）端部を切断して形成した調整用瓦（７）を嵌め込むと共に、調整用瓦（７）の切断した側の継ぎ目の下側に防水用の当て板（８）を配している。
【００２３】
又、該実施の形態の屋根瓦施工構造（Ａ’）は請求項３に記載したように、当て板（８）の棟側縁部に、当て板（８）の平面部に対して直立し屋根瓦（Ａ）の厚み以下となる係止突起（９）を設けてもいる。
【００２４】
又、該実施の形態の屋根瓦施工構造（Ａ’）は請求項４に記載したように、屋根瓦（Ａ）の両端部に相決りを施し、この相決りを嵌合させて屋根瓦（Ａ）を横方向に連接してもいる。
【００２５】
図１、２に示すように、本実施の形態の屋根瓦施工構造（Ａ’）は屋根瓦（Ａ）を連接して形成される。
【００２６】
屋根瓦（Ａ）は略長方形形状で切断合わせマーク（４）を屋根勾配別に複数備えており、切断合わせマーク（４）は軒側縁部中央の基準マーク（４ａ）と棟側縁部の切断マーク（４ｂ）とからなる。切断マーク（４ｂ）は基準マーク（４ａ）から棟側にのびる垂線を対称軸として対になるように左右対称に設けられている。又、切断合わせマーク（４）は屋根勾配別に６寸用、５寸用、４寸用を備えている。
【００２７】
又、屋根瓦（Ａ）は切断合わせマーク（４）に合わせて切断することで隅棟瓦（５）となる一方で、短辺側端部を切断することで連接してゆく際に瓦間に形成される調整用のスペース（６）に嵌め込む調整用瓦（７）にもなる。
【００２８】
又、屋根瓦（Ａ）は短辺側端部に相決りを施されてもいる。
【００２９】
当て板（８）は長方形形状の薄板の棟側縁を折り曲げて係止突起（９）を形成している。長方形形状とすることで継ぎ目の下側で効率良く防水機能を果たすことができる。
【００３０】
屋根瓦施工構造（Ａ’）においては、屋根の下で予め切断合わせマーク（４）に合わせて屋根瓦（Ａ）を切断して隅棟瓦（５）を形成し、隅棟瓦（５）を基準として連接して屋根瓦（Ａ）を葺いてゆく。この時、隅棟瓦（５）を配設する際の合わせ位置は葺き足寸法のみで良い。
【００３１】
又、横方向の寸法調整については最後に残ったスペース（６）に納まるように屋根瓦（Ａ）を縦方向に切断すればよく、従来の技術にあるような屋根瓦（Ａ）の位置合わせ、マーキングの作業は不要となる。又、調整用瓦（７）を作成する為の切断作業は瓦葺各段について１回で済む。
【００３２】
したがって、以上説明した屋根瓦（Ａ）によると、効率良く瓦を葺いてゆくことができる。すなわち、切断合わせマーク（４）に合わせて切断した屋根瓦（Ａ）は、その切断部（２）を隅棟部の稜線勾配（３）に揃えることで簡単に位置決めをすることができる。更に、切断した屋根瓦（Ａ）を基準としてこれに連接して他の屋根瓦（Ａ）を横方向に配設すれば、上下方向のみを揃えるだけで狂いを生じさせることなく配設できるので、従来の技術で紹介した屋根瓦よりも位置合わせが簡単になり施工性が向上する。
【００３３】
又、１枚の屋根瓦（Ａ）で屋根両側の隅棟部に対応できる。即ち、切断マーク（４ｂ）を左右対称で対になるように設けているので、隅棟部に配設可能な部材を基準マーク（４ａ）を境に右側と左側とで各１枚づつ作ることができる。このものは左右対称なものなので、右側隅棟部対応品と左側隅棟部対応品とが各１枚づつ出来あがることになる。
【００３４】
又、以上説明した屋根瓦施工構造（Ａ’）によると、継ぎ目部分の防水性能を損なうことなく調整用瓦（７）を嵌め込むことができる。本発明の屋根瓦施工構造（Ａ’）にあっては、隅棟瓦（５）を屋根両側に対向して配設し、隅棟瓦（５）を基準として屋根瓦（Ａ）を連接してゆく為に、屋根の大きさに対応した調整代を任意の瓦間に設けたスペース（６）に求めざるをえなくなる。そして、其スペース（６）に端部を切断した調整用瓦（７）を嵌めこむことで瓦葺を完成させる構造をとる。このような構造では調整用瓦（７）の切断部の仕上がりが瓦施工者の技量によりばらついてしまい、出来具合によっては防水性能の低下を招く恐れがある。本発明は、そのバラツキから生じる防水性能の低下を当て板（８）を設けることで補うようにしている。
【００３５】
又、当て板（８）の位置決めが簡単になるとともに安定した固定とすることができる。例えば係止突起（９）を調整用瓦（７）の上端縁に係止させることで仮固定することができる。又、係止突起（９）は、調整用瓦（７）に限らず屋根瓦（Ａ）もしくは隅棟瓦（５）の上端縁に係止させても良い。加えて、係止突起（９）は屋根瓦（Ａ）の厚みよりも小さいので、屋根瓦（Ａ）を軒側から棟側にかけて重ねて配設してゆく際においても邪魔になることがない。
【００３６】
又、瓦間の継ぎ目部分の防水性能が向上する。単純な突き付け施工よりも相決りを施している方が、屋根瓦（Ａ）下側に至る迄の浸水経路を複雑にすることができ防水性能が向上する。即ち、突き付け施工の場合、継ぎ目に入った水滴は特に抵抗を受けることなく屋根瓦（Ａ）下側に至ることになる。これに対して、本発明においては屋根瓦（Ａ）端部に相決りを設けているので、継ぎ目が底に向ってクランク状となり、継ぎ目に入った水滴を途中の段差部に留めることができる。
【００３７】
更に、隅棟瓦（５）の切断作業を足場の良い所で、切断合わせマーク（４）に合わせて行うことができるので非常に楽なものとなる。
【００３８】
更に、強風部位である隅棟部に固定が困難な小片瓦が発生しないので、耐風性が向上すると共に施工性が向上する。
【００３９】
更に、隅棟瓦（５）の釘位置が決まるので防水上好ましいものとなる。
【００４０】
更に、屋根瓦（Ａ）を切断して隅棟瓦（５）を作った際に生じる廃材が同寸同形となる為に、容易に束ねることができ、かさにばることなく簡単に片付けることができる。
【００４１】
更に、屋根上での廃材発生が少なく、地上で廃材発生するので廃材処理が簡単になる。
【００４２】
更に、調整用瓦（７）は縦方向のみでの切断で済むので、残りを上段の調整用瓦（７’）として使いまわすことができる。
【００４３】
［第２の実施の形態］図３は本発明の請求項１に対応する第２の実施の形態の屋根瓦（Ｂ）を示す説明図である。又、図４は該屋根瓦（Ｂ）を用いてなる本発明の請求項２、３に対応する第２の実施の形態を示す屋根瓦施工構造（Ｂ’）の説明図である。
【００４４】
本実施の形態は、第１の実施の形態と屋根瓦（Ｂ）の短辺側端部のみが異なり、このものの端部は相決りが施されることなくフラットな状態となっている。
【００４５】
これにより、屋根瓦（Ｂ）の製造が簡単になるので生産性を向上することができる。又、これに伴い継ぎ目部分の防水性も低下するので、防水用の当て板（８）を調整用瓦（７）の両端部に配設するようにしている。
【００４６】
［第３の実施の形態］図５は本発明の請求項１に対応する第３の実施の形態の屋根瓦（Ｃ）を示す説明図である。又、図６は該屋根瓦（Ｃ）を用いてなる本発明の請求項２に対応する第３の実施の形態を示す屋根瓦施工構造（Ｃ’）の説明図である。
【００４７】
本実施の形態は、第２の実施の形態と当て板の有無が異なり、このものは当て板を備えていない。
【００４８】
これにより、当て板の分だけコストを削減することができると共に、当て板配設の手間を省くことができる。又、これに伴い継ぎ目部分の防水性が低下するので、葺き足寸法を小さくして暴露率を低下させ、継ぎ目部分の防水を下段の屋根瓦（Ｃ）で補うようにしている。
【００４９】
【発明の効果】
上述の如く、請求項１記載の発明によれば、切断合わせマークに合わせて切断した屋根瓦は、その切断部を隅棟部の稜線勾配に揃えることで簡単に位置決めをすることができる。
【００５０】
また、請求項１記載の発明によれば、１枚の屋根瓦で屋根両側の隅棟部に対応できる。
【００５１】
そして、請求項２記載の発明によれば、継ぎ目部分の防水性能を損なうことなく調整用瓦を嵌め込むことができる。
【００５２】
そして、請求項３記載の発明によれば、当て板の位置決めが簡単になるとともに安定した固定とすることができる。
【００５３】
そして、請求項４記載の発明によれば、瓦間の継ぎ目部分の防水性能が向上する。
【図面の簡単な説明】
【図１】本発明の第１の実施の形態である屋根瓦を示す説明図である。（ａ）は平面図を示し、（ｂ）は正面図を示す。
【図２】本発明の第１の実施の形態である屋根瓦施工構造を示す平面図である。
【図３】本発明の第２の実施の形態である屋根瓦を示す説明図である。（ａ）は平面図を示し、（ｂ）は正面図を示す。
【図４】本発明の第２の実施の形態である屋根瓦施工構造を示す平面図である。
【図５】本発明の第３の実施の形態である屋根瓦を示す説明図である。（ａ）は平面図を示し、（ｂ）は正面図を示す。
【図６】本発明の第３の実施の形態である屋根瓦施工構造を示す平面図である。
【図７】本発明の第１、２の実施の形態の屋根瓦施工構造に共通の当て板を示す説明図である。（ａ）は平面図を示し、（ｂ）は側面図を示す。
【図８】本発明の従来の技術である屋根瓦と屋根瓦施工構造を示す平面図である。
【符号の説明】
Ａ    第１の実施の形態の屋根瓦
Ａ’  第１の実施の形態の屋根瓦施工構造
Ｂ    第２の実施の形態の屋根瓦
Ｂ’  第２の実施の形態の屋根瓦施工構造
Ｃ    第３の実施の形態の屋根瓦
Ｃ’  第３の実施の形態の屋根瓦施工構造
１    瓦本体
２    切断部
３    稜線勾配
４    切断合わせマーク
４ａ  基準マーク
４ｂ  切断マーク
５    隅棟瓦
６    スペース
７    調整用瓦
７’  上段の調整用瓦
８    当て板
９    係止突起
【図１】
0003924116.tif 000002
【図２】
0003924116.tif 000003
【図３】
0003924116.tif 000004
【図４】
0003924116.tif 000005
【図５】
0003924116.tif 000006
【図６】
0003924116.tif 000007
【図７】
0003924116.tif 000008
【図８】
0003924116.tif 000009